(57)【要約】【課題】毎週深夜に放送される深夜番組を、容易に受信予約する。【解決手段】  受光部３９は、ユーザからの、指定曜日、指定開始時刻、および指定終了時刻の入力を受け付ける。予約制御部６２は、指定曜日に、深夜を表す「深夜」が含まれている場合、指定曜日の次の曜日の、指定開始時刻から指定終了時刻に毎週放送される深夜番組の受信予約を行う。選局制御部６５は、予約制御部６２により受信予約が行われた深夜番組を受信する。本発明は、例えば、ハードディスクビデオレコーダに適用することができる。【選択図】図２
2007074478.tif 000002
【特許請求の範囲】
【請求項１】
ユーザからの、複数の曜日を表す曜日情報と時刻を表す時刻情報の入力を受け付ける受付手段と、
前記受付手段により受け付けられる曜日情報に、深夜を表す深夜情報が含まれている場合、前記曜日情報が表す曜日の次の曜日の、前記時刻情報が表す時刻に毎週放送される深夜番組の受信予約を行う予約手段と、
前記予約手段により受信予約が行われた深夜番組を受信する受信手段と
を備える受信装置。
【請求項２】
前記受信手段により受信される深夜番組を、前記深夜番組を記録する記録装置に記録させる記録制御手段
をさらに備える
請求項１に記載の受信装置。
【請求項３】
前記受信手段は、モードに応じて、０時から２３時までの任意の時刻、または０時から２４時を越えた所定の時刻までの任意の時刻を表す時刻情報の入力を受け付ける
請求項１に記載の受信装置。
【請求項４】
ユーザからの、複数の曜日を表す曜日情報と時刻を表す時刻情報の入力を受け付け、
前記曜日情報に、深夜を表す深夜情報が含まれている場合、前記曜日情報が表す曜日の次の曜日の、前記時刻情報が表す時刻に毎週放送される深夜番組の受信予約を行い、
その受信予約が行われた深夜番組を受信する
ステップを含む受信方法。
【請求項５】
ユーザからの、複数の曜日を表す曜日情報と時刻を表す時刻情報の入力を受け付け、
前記曜日情報に、深夜を表す深夜情報が含まれている場合、前記曜日情報が表す曜日の次の曜日の、前記時刻情報が表す時刻に毎週放送される深夜番組の受信予約を行い、
その受信予約が行われた深夜番組を受信する
ステップを含む処理をコンピュータに実行させるプログラム。
【発明の詳細な説明】
【技術分野】
【０００１】
本発明は受信装置および受信方法、並びにプログラムに関し、特に、毎週深夜に放送される深夜番組を、容易に受信予約することができるようにした受信装置および受信方法、並びにプログラムに関する。
【背景技術】
【０００２】
近年、午前０時を過ぎた深夜に放送される深夜番組が増えている。特に、有料衛星放送などでは２４時間常に番組が放送されている。
【０００３】
毎週放送されている深夜番組を録画予約するために、その深夜番組が放送される放送開始日時と放送終了時刻を設定する方法としては、実際に放送される曜日の前日の曜日を設定して、深夜キーを操作し、その後時刻を設定する方法がある（例えば、特許文献１参照）。この方法では、例えば、ユーザは、火曜日を設定して、深夜キーを操作し、その後１時を設定することにより、水曜日の早朝１時を設定することができる。これにより、例えば、ユーザは、火曜日の２２時から、水曜日の早朝１時まで放送される深夜番組を、放送開始日と放送終了日の変化を意識せずに録画予約することができる。
【０００４】
また、録画対象とする深夜番組の放送開始日時と放送終了日時の設定の誤りを軽減するため、その放送開始日時または放送終了日時が、午前０時を過ぎる場合、放送開始日時または放送終了日時を、前日の曜日の深夜として表記する録画予約タイマー装置がある（例えば、特許文献２参照）。この録画予約タイマー装置では、例えば、火曜日の１時である放送開始日時が、月曜日の深夜１時として表記される。
【０００５】
一方、各曜日である「月曜日」、「火曜日」、・・・、「日曜日」だけでなく、「毎週月‐金曜日」、「毎週月‐土曜日」などの項目を設け、ユーザが、その項目を選択することにより、番組の放送開始時刻と放送終了時刻の１回の設定で、月曜日から金曜日の平日、または月曜日から土曜日に毎週放送される番組を録画予約することができる録画装置がある。
【０００６】
この録画装置では、例えば、ユーザが、「毎週月‐金曜日」という項目を選択し、放送開始時刻として８時１５分を、放送終了時刻として８時３０を設定することにより、毎週月曜日から金曜日の８時１５分から８時３０分に放送される番組が録画予約される。また、ユーザが、「毎週月‐土曜日」という項目を選択し、放送開始時刻として１２時を、放送終了時刻として１３時を設定することにより、毎週月曜日から土曜日の１２時から１３時に放送される番組が録画予約される。
【０００７】
【特許文献１】特開平５−３３３１６８号公報
【０００８】
【特許文献２】特開昭６０−２３６１３８号公報
【発明の開示】
【発明が解決しようとする課題】
【０００９】
しかしながら、ユーザは、毎週月曜日から金曜日の深夜１時１５分から３時３０分、即ち毎週火曜日から土曜日の早朝１時１５分から３時３０分に放送される深夜番組を録画予約する場合、「毎週月‐金曜日」という項目を選択し、放送開始時刻として１時１５分を、放送終了時刻として３時３０分を設定する。そして、ユーザは、さらに、「土曜日」という項目を選択し、放送開始時刻と放送終了時刻を再び設定する必要がある。
【００１０】
また、毎週月曜日の早朝１時１５分から３時３０分は、毎週日曜日の深夜１時１５分から３時３０分であり、その時間帯には、録画予約対象とする深夜番組は放送されていないので、録画予約対象ではない番組を、無駄に録画予約してしまうことになる。
【００１１】
一方、ユーザが、「毎週月‐土曜日」という項目を選択する場合、１回の設定で毎週月曜日から金曜日の深夜１時１５分から３時３０分に放送される深夜番組を録画予約することが可能であるが、上述した場合と同様に、録画予約対象ではない毎週日曜日の深夜１時１５分から３時３０分に放送される深夜番組を、無駄に録画予約してしまう。
【００１２】
また、ユーザは、「毎週火―土曜日」という項目を選択すれば、１回の設定で無駄なく録画予約が可能であるが、一般的に、深夜番組は、実際に放送される日の前日の夜の番組に続けて番組表（テレビ欄）等に表示されるため、ユーザは、その深夜番組が放送される日を、実際に放送される日の前日として捉えていることが多い。従って、ユーザは、毎週月曜日から金曜日の深夜に放送される深夜番組を録画予約対象とするという感覚があるので、その設定は非常にわかりにくく、不便である。
【００１３】
本発明は、このような状況に鑑みてなされたものであり、毎週深夜に放送される深夜番組を、容易に受信予約することができるようにするものである。
【課題を解決するための手段】
【００１４】
本発明の一側面の受信装置は、ユーザからの、複数の曜日を表す曜日情報と時刻を表す時刻情報の入力を受け付ける受付手段と、前記受付手段により受け付けられる曜日情報に、深夜を表す深夜情報が含まれている場合、前記曜日情報が表す曜日の次の曜日の、前記時刻情報が表す時刻に毎週放送される深夜番組の受信予約を行う予約手段と、前記予約手段により受信予約が行われた深夜番組を受信する受信手段とを備える。
【００１５】
前記受信装置は、前記受信手段により受信される深夜番組を、前記深夜番組を記録する記録装置に記録させる記録制御手段をさらに設けることができる。
【００１６】
前記受信手段は、モードに応じて、０時から２３時までの任意の時刻、または０時から２４時を越えた所定の時刻までの任意の時刻を表す時刻情報の入力を受け付けることができる。
【００１７】
本発明の一側面の受信方法は、ユーザからの、複数の曜日を表す曜日情報と時刻を表す時刻情報の入力を受け付け、前記曜日情報に、深夜を表す深夜情報が含まれている場合、前記曜日情報が表す曜日の次の曜日の、前記時刻情報が表す時刻に毎週放送される深夜番組の受信予約を行い、その受信予約が行われた深夜番組を受信するステップを含む。
【００１８】
本発明の一側面のプログラムは、ユーザからの、複数の曜日を表す曜日情報と時刻を表す時刻情報の入力を受け付け、前記曜日情報に、深夜を表す深夜情報が含まれている場合、前記曜日情報が表す曜日の次の曜日の、前記時刻情報が表す時刻に毎週放送される深夜番組の受信予約を行い、その受信予約が行われた深夜番組を受信するステップを含む処理をコンピュータに実行させる。
【００１９】
本発明の一側面においては、ユーザからの、複数の曜日を表す曜日情報と時刻を表す時刻情報の入力が受け付けられ、前記曜日情報に、深夜を表す深夜情報が含まれている場合、前記曜日情報が表す曜日の次の曜日の、前記時刻情報が表す時刻に毎週放送される深夜番組の受信予約が行われ、その受信予約が行われた深夜番組が受信される。
【発明の効果】
【００２０】
以上のように、本発明の一側面によれば、深夜番組の受信予約を行うことができる。
【００２１】
また、本発明の一側面によれば、毎週深夜に放送される深夜番組を、容易に受信予約することができる。
【発明を実施するための最良の形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面の受信装置は、第１に、
ユーザからの、複数の曜日を表す曜日情報と時刻を表す時刻情報の入力を受け付ける受付手段（例えば、図２の受光部３９）と、
前記受付手段により受け付けられる曜日情報に、深夜を表す深夜情報が含まれている場合、前記曜日情報が表す曜日の次の曜日の、前記時刻情報が表す時刻に毎週放送される深夜番組の受信予約を行う予約手段（例えば、予約制御部６２）と、
前記予約手段により受信予約が行われた深夜番組を受信する受信手段（例えば、図２の選局制御部６５）と
を備える。
【００２４】
本発明の一側面の受信装置は、第２に、
前記受信手段により受信される深夜番組を、前記深夜番組を記録する記録装置に記録させる記録制御手段（例えば、図２の記録制御部６６）
をさらに備える。
【００２５】
本発明の一側面の受信方法またはプログラムは、
ユーザからの、複数の曜日を表す曜日情報と時刻を表す時刻情報の入力を受け付け（例えば、図５のステップＳ１２，Ｓ１５，Ｓ１８，Ｓ２０）、
前記曜日情報に、深夜を表す深夜情報が含まれている場合、前記曜日情報が表す曜日の次の曜日の、前記時刻情報が表す時刻に毎週放送される深夜番組の受信予約を行い（例えば、図６のステップＳ２４）、
その受信予約が行われた深夜番組を受信する（例えば、図７のステップＳ４２）
ステップを含む。
【００２６】
以下、本発明を適用した具体的な実施の形態について、図面を参照しながら詳細に説明する。
【００２７】
図１は、本発明を適用したテレビジョンシステム１０の一実施の形態の構成例を示すブロック図である。
【００２８】
図１のテレビジョンシステム１０は、受信装置１１とリモートコントローラ（リモコン）１２から構成される。
【００２９】
受信装置１１では、チューナ３２、CODEC（Coder Decoder）３３、信号処理部３４、制御部３８、受光部３９、通信部４０、記録部４１、およびドライブ４２が、バス３７を介して互いに接続されており、受信装置１１は、番組（の画像や音声）のデジタル信号の電波を受信し、その番組の画像や音声を出力する。
【００３０】
チューナ３２は、制御部３８の制御により、アンテナ３１を介して番組のデジタル信号の電波であるデジタル放送信号を受信し、そのデジタル放送信号を復調する。
【００３１】
チューナ３２は、復調の結果得られる番組の画像データおよび音声データ（以下、コンテンツデータという）をCODEC３３に供給するか、またはバス３７を介して制御部３８に供給する。
【００３２】
CODEC３３は、チューナ３２、または制御部３８からバス３７を介して供給されるコンテンツデータ（符号化されているコンテンツデータ）を、MPEG2(Moving Picture Experts Group phase 2)などの所定の方式で復号し、信号処理部３４と制御部３８に供給する。
【００３３】
信号処理部３４は、CODEC３３から供給されるコンテンツデータに対して、例えば、コンテンツデータをコンポジット信号などの信号に変換するデータ方式の変換処理、D/A（Digital/Analog）変換処理などの所定の処理を施し、コンテンツデータのうちの画像データを、ディスプレイ３５に供給するとともに、音声データをスピーカ３６に供給する。
【００３４】
また、信号処理部３４は、制御部３８から供給される各種の画面を表示するための画像データに対して、例えば、データ方式の変換処理、D/A変換処理などの処理を施し、ディスプレイ３５に供給する。
【００３５】
ディスプレイ３５は、信号処理部３４からの画像データに対応する画像を表示する。スピーカ３６は、信号処理部３４からの音声データに対応する音声を出力する。
【００３６】
制御部３８は、例えば、CPU(Central Processing Unit)、ROM(Read Only Memory)、RAM（Random Access Memory）などから構成される組み込み型のマイクロコンピュータにより構成され、受光部３９から入力される制御信号などに対応して、各種の処理を実行する。
【００３７】
例えば、制御部３８は、チューナ３２またはCODEC３３から供給されるコンテンツデータを、バス３７を介して記録部４１に供給し、記録させる。
【００３８】
また、制御部３８は、記録部４１から供給されるコンテンツデータを取得し、バス３７を介してCODEC３３に供給する。さらに、制御部３８は、番組の録画予約（受信予約）の設定を行うための設定画面を表示するための画像データを作成し、バス３７を介して信号処理部３４に供給する。
【００３９】
なお、制御部３８は、例えば、記録部４１にインストールされたプログラムを実行することにより、各種の処理を行う。また、制御部３８は、通信部４０によりダウンロードされたプログラムや、ドライブ４２に装着された磁気ディスク、光ディスク、光磁気ディスク、あるいは半導体メモリなどのリムーバブルメディア４３に記録されたプログラムを必要に応じて、記録部４１にインストールする。
【００４０】
受光部３９は、リモコン１２から送信されてくるコマンドを受信し、そのコマンドを表す制御信号を、バス３７を介して制御部３８に供給する。
【００４１】
通信部４０は、図示せぬインターネットなどのネットワークを介して、各種のデータの送受信を行う。例えば、通信部４０は、図示せぬサーバからネットワークを介して所定のプログラムをダウンロードし、制御部３８に供給する。
【００４２】
記録部４１は、例えばHDD（Hard Disk Drive）などにより構成され、制御部３８からバス３７を介して供給されるコンテンツデータを記録する。
【００４３】
ドライブ４２には、必要に応じて、リムーバブルメディア４３が装着される。ドライブ４２は、リムーバブルメディア４３を駆動して、そこに記録されているプログラムやデータなどを読み出し、バス３７を介して制御部３８に供給する。
【００４４】
リモコン１２は、ユーザからの操作（入力）を受け付け、その操作に対応するコマンドを、赤外線などにより受光部３９に出力する。
【００４５】
図２は、図１の受信装置１１の機能的構成例を示すブロック図である。
【００４６】
図２の受信装置１１は、ディスプレイ３５、受光部３９、計時部６１、予約制御部６２、記憶部６３、表示制御部６４、選局制御部６５、および記録制御部６６から構成される。なお、図１と同一の符号を付したものは、同一のものであり、説明は適宜省略する。
【００４７】
計時部６１は、現在の日時を計時し、その日時を表す日時情報を予約制御部６２に供給する。予約制御部６２には、受光部３９から、ユーザからの設定画面の表示を指令するための操作に対応する制御信号が供給される。予約制御部６２は、受光部３９からの指令に応じて、設定画面を表示するための画像データを、表示制御部６４に供給する。
【００４８】
また、予約制御部６２は、記憶部６３に記憶されている、ユーザから録画対象を指定するために入力される曜日（以下、指定曜日という）、開始時刻（以下、指定開始時刻という）、および終了時刻（以下、指定終了時刻という）と、実際に録画を行う曜日（以下、録画曜日という）、録画を開始する時刻（以下、録画開始時刻という）、および録画を終了する時刻（以下、録画終了時刻という）とを対応付けたテーブル（後述する図３）を表す日時管理データを読み出す。
【００４９】
予約制御部６２は、その日時管理データと、受光部３９から供給される、ユーザからの指定曜日、指定開始時刻、指定終了時刻、および放送チャンネルの入力に対応する制御信号とに基づいて、録画曜日、録画開始時刻、録画終了時刻、および録画対象とする番組の放送チャンネル（以下、録画チャンネルという）を表す情報、並びに指定曜日の入力モードが深夜モードであるかどうかを表す深夜モード情報からなる予約情報を作成し、記憶部６３に記憶させる。
【００５０】
なお、深夜モードとは、実際には、ある曜日の早朝に放送される深夜番組を、前日の深夜に放送される深夜番組とし、その曜日の前日の曜日を指定曜日として入力することにより、その深夜番組を指定するモードである。また、以下では、深夜モードにおいて、０時から２４時を越えた時刻である２７時５９分までの時刻を、指定開始時刻と指定終了時刻として入力することができるものとする。
【００５１】
さらに、予約制御部６２は、計時部６１からの日時情報と予約情報に基づいて、選局制御部６５に、録画予約対象である番組の受信を指令する。また、予約制御部６２は、日時情報と予約情報に基づいて、記録制御部６６に、選局制御部６５から供給される録画予約対象の録画（記録）を指令する。
【００５２】
表示制御部６４は、予約制御部６２からの画像データに基づいて、ディスプレイ３５に設定画面を表示させる。選局制御部６５は、予約制御部６２の指令に応じて、チューナ３２を制御し、録画予約対象である番組を、アンテナ３１を介して受信させる。そして、選局制御部６５は、受信された録画予約対象である番組のコンテンツデータを記録制御部６６に供給する。
【００５３】
記録制御部６６は、予約制御部６２からの指令に応じて、選局制御部６５から供給されるコンテンツデータを記録部４１に記録させる。
【００５４】
図３は、図２の記憶部６３に記憶されている日時管理データが表すテーブルの例を示している。
【００５５】
図３に示すように、日時管理データが表すテーブルには、項目「指定曜日」、「録画曜日」、「録画時刻」が設けられており、それらの項目に、それぞれ指定曜日、録画曜日、指定開始時刻（指定終了時刻）と録画開始時刻（録画終了時刻）との関係が対応付けられている。
【００５６】
図３において、項目「指定曜日」には「月曜日」、「火曜日」、・・・、「日曜日」、「平日（月‐金）」、「毎週月‐土」が、項目「録画曜日」には「月曜日」、「火曜日」、・・・、「日曜日」、「月曜日から金曜日」、「月曜日から土曜日」が、項目「録画時刻」には「指定時刻」が、それぞれ対応付けられている。
【００５７】
即ち、ユーザにより指定された指定曜日が「月曜日」、「火曜日」、・・・、「日曜日」、「平日（月‐金）」、「毎週月‐土」である場合、指定曜日を録画曜日とし、指定時刻を録画時刻とし、指定終了時刻を録画終了時刻として、録画曜日の録画開始時刻から録画終了時刻に放送される番組が録画予約対象となる。
【００５８】
また、項目「指定曜日」には「月曜日深夜」、「火曜日深夜」、・・・、「日曜日深夜」、「平日（月‐金）深夜」、「毎週月‐土深夜」が、項目「録画曜日」には「火曜日」、「水曜日」、・・・、「月曜日」、「火曜日から土曜日」、「火曜日から日曜日」が、項目「録画時刻」には「指定終了時刻−２４時」が対応付けられている。なお、指定曜日の「深夜」は、指定曜日の入力モードを深夜モードにすることを表している。
【００５９】
即ち、ユーザにより指定された指定曜日が「月曜日深夜」、「火曜日深夜」、・・・、「日曜日深夜」、「平日（月‐金）深夜」、「毎週月‐土深夜」である場合、指定曜日を録画曜日とし、指定開始時刻から２４時を引いた時刻を録画開始時刻とし、指定終了時刻から２４時を引いた時刻を録画終了時刻として、録画曜日の録画開始時刻から録画終了時刻に放送される番組が録画予約対象となる。
【００６０】
なお、指定開始時刻または指定終了時刻から２４時を引いた時刻が負になる場合、録画曜日は、図３のテーブルの録画曜日の前の曜日となり、録画開始時刻または録画終了時刻は、指定開始時刻または指定終了時刻となる。
【００６１】
図４は、図１や図２のディスプレイ３５に表示される設定画面の例を示す図である。
【００６２】
図４の設定画面には、「曜日を指定して録画予約をします」というメッセージ、指定曜日入力部８１、指定開始時刻入力部８２、指定終了時刻入力部８３、チャンネル入力部８４、確定ボタン８５、および中止ボタン８６が表示される。
【００６３】
指定曜日入力部８１は、指定曜日を入力するときに操作される。ユーザは、例えば、リモコン１２（図１）を操作して、指定曜日入力部８１にカーソルを移動し、その後、上下方向の操作を行うことにより、指定曜日を選択する。そして、ユーザは、決定の指令を行うことにより、その選択した指定曜日の入力を行う。図４では、ユーザが、「月曜日深夜」を指定曜日として選択している。
【００６４】
指定開始時刻入力部８２は、指定開始時刻を入力するときに操作される。指定終了時刻入力部８３は、指定終了時刻を入力するときに操作される。チャンネル入力部８４は、録画対象とする番組の放送チャンネルを入力するときに操作される。
【００６５】
また、確定ボタン８５は、指定曜日入力部８１、指定開始時刻入力部８２、指定終了時刻入力部８３、およびチャンネル入力部８４を用いて入力された指定曜日、指定開始時刻、指定終了時刻、および放送チャンネルを確定するときに操作される。即ち、確定ボタン８５は、指定曜日、指定開始時刻、指定終了時刻、および放送チャンネルにより指定される番組の録画予約を指令するときに、操作される。
【００６６】
中止ボタン８６は、指定曜日入力部８１、指定開始時刻入力部８２、指定終了時刻入力部８３、およびチャンネル入力部８４を用いて入力された指定曜日、指定開始時刻、指定終了時刻、および放送チャンネルにより指定される番組の録画予約を中止するときに、操作される。
【００６７】
次に、図５と図６を参照して、図１のテレビジョンシステム１０が録画予約を行う予約処理について説明する。この予約処理は、例えば、ユーザがリモコン１２を操作することにより、設定画面の表示を指令したとき開始される。
【００６８】
ステップＳ１１において、表示制御部６４は、予約制御部６２の制御により、図４の設定画面を表示させる。具体的には、予約制御部６２は、受光部３９から供給される、ユーザからの設定画面の表示を指令するための操作に対応する制御信号に応じて、図４の設定画面を表示するための画像データを作成し、表示制御部６４に供給する。このとき、指定曜日入力部８１には、記憶部６３に記憶されている日時管理データが表すテーブル（図３）の項目「指定曜日」に対応付けられている曜日が表示される。
【００６９】
ステップＳ１１の処理後は、ステップＳ１２に進み、受光部３９は、リモコン１２からのコマンドに基づいて、ユーザにより指定曜日が入力されたかどうか、即ち、ユーザがリモコン１２により指定曜日入力部８１（図４）を操作して指定曜日を入力したかどうかを判定し、ユーザにより指定曜日が入力されていないと判定された場合、指定曜日が入力されるまで待機する。
【００７０】
一方、ステップＳ１２において、ユーザにより指定曜日が入力されたと判定された場合、受光部３９は、その指定曜日を表す制御信号を予約制御部６２に供給して、ステップＳ１３に進む。
【００７１】
ステップＳ１３において、予約制御部６２は、受光部３９から供給される指定曜日を表す制御信号に基づいて、指定曜日の入力モードが深夜モードであるかどうか、即ち、指定曜日が「月曜日深夜」、「火曜日深夜」、・・・、「日曜日深夜」、「平日（月‐金）深夜」、または「毎週月‐土深夜」のうちのいずれかであるかどうかを判定し、指定曜日の入力モードが深夜モードであると判定した場合、ステップＳ１４に進む。
【００７２】
ステップＳ１４において、予約制御部６２は、表示制御部６４を制御し、ディスプレイ３５に表示されている指定開始時刻入力部８２に、０時から２７時５９分までの時刻を表示させる。
【００７３】
ステップＳ１４の処理後は、ステップ１５に進み、受光部３９は、ユーザにより指定開始時刻入力部８２が操作され、指定開始時刻が入力されたかどうかを判定し、指定開始時刻が入力されていないと判定された場合、指定開始時刻が入力されるまで待機する。
【００７４】
一方、ステップＳ１５において、指定開始時刻が入力されたと判定された場合、受光部３９は、その指定開始時刻を表す制御信号を予約制御部６２に供給し、ステップＳ１６に進む。
【００７５】
ステップＳ１６において、予約制御部６２は、表示制御部６４を制御し、ディスプレイ３５に表示されている指定終了時刻入力部８３に、０時から２７時５９分までの時刻を表示させ、図６のステップＳ２０に進む。
【００７６】
また、ステップＳ１３において、指定曜日の入力モードが深夜モードではないと判定された場合、ステップＳ１７に進み、予約制御部６２は、表示制御部６４を制御し、ディスプレイ３５に表示されている指定開始時刻入力部８２に、０時から２３時５９分までの時刻を表示させ、ステップＳ１８に進む。
【００７７】
ステップＳ１８において、受光部３９は、ステップＳ１５の処理と同様に、ユーザにより指定開始時刻が入力されたかどうかを判定し、指定開始時刻が入力されていないと判定された場合、指定開始時刻が入力されるまで待機する。
【００７８】
一方、ステップＳ１８において、指定開始時刻が入力されたと判定された場合、受光部３９は、その指定開始時刻を表す制御信号を予約制御部６２に供給し、ステップＳ１９に進む。
【００７９】
ステップＳ１９において、予約制御部６２は、表示制御部６４を制御し、ディスプレイ３５に表示されている指定終了時刻入力部８３に、０時から２３時５９分までの時刻を表示させ、図６のステップＳ２０に進む。
【００８０】
ステップＳ２０において、受光部３９は、ユーザにより指定終了時刻入力部８３が操作され、指定終了刻が入力されたかどうかを判定し、指定終了時刻が入力されていないと判定された場合、指定終了時刻が入力されるまで待機する。
【００８１】
また、ステップＳ２０において、指定終了時刻が入力されたと判定された場合、受光部３９は、その指定終了時刻を表す制御信号を予約制御部６２に供給し、ステップＳ２１に進む。
【００８２】
ステップＳ２１において、予約制御部６２は、受光部３９から供給される制御信号が表す指定曜日、指定開始時刻、および指定終了時刻、並びに記憶部６３に記憶されている日時管理データに基づいて、録画曜日、録画開始時刻、および録画終了時刻を決定する。
【００８３】
例えば、指定曜日が「平日（月‐金）深夜」、指定開始時刻が２３時、指定終了時刻が２５時である場合、指定開始時刻から２４時を引いた時刻が負（−１時）であるので、予約制御部６２は、図３のテーブルにおいて項目「指定曜日」の「平日（月‐金）深夜」に対応する項目「録画曜日」の「火曜日から土曜日」の前日である月曜日から金曜日を録画曜日に決定し、指定開始時刻である２３時をそのまま録画開始時刻に決定する。また、予約制御部６２は、項目「指定曜日」の「平日（月‐金）深夜」に対応する項目「録画時刻」に基づいて、録画終了時刻を１時（＝２５−２４時）に決定する。
【００８４】
即ち、毎週月曜日から金曜日の２３時から翌日の早朝１時、つまり毎週月曜日から金曜日の２３時から深夜１時に放送される深夜番組が録画予約対象として決定される。
【００８５】
また、指定曜日が「平日（月‐金）深夜」、指定開始時刻が２５時、指定終了時刻が２６時である場合、指定開始時刻から２４時を引いた時刻が正（１時）であるので、予約制御部６２は、図３のテーブルにおいて項目「指定曜日」の「平日（月‐金）深夜」に対応する項目「録画曜日」と項目「録画時刻」に基づいて、録画曜日を火曜日から土曜日に、録画開始時刻を１時（＝２５−２４時）に、録画終了時刻を２時（＝２６−２４時）に決定する。
【００８６】
即ち、毎週火曜日から土曜日の早朝１時から２時、つまり毎週月曜日から金曜日の深夜１時から２時に放送される深夜番組が録画予約対象として決定される。
【００８７】
ステップＳ２１の処理後は、ステップＳ２２に進み、予約制御部６２は、表示制御部６４を制御し、図４のチャンネル入力部８４に、チューナ３２で受信可能な放送チャンネルのチャンネル番号を表示させ、ステップＳ２３に進む。
【００８８】
ステップＳ２３において、受光部３９は、ユーザによりチャンネル入力部８４が操作され、放送チャンネルのチャンネル番号が入力されたかどうかを判定し、放送チャンネルのチャンネル番号が入力されていないと判定された場合、チャンネル番号が入力されるまで待機する。
【００８９】
一方、ステップＳ２３において、ユーザにより放送チャンネルのチャンネル番号が入力されたと判定された場合、受光部３９は、その放送チャンネル（のチャンネル番号）を表す制御信号を予約制御部６２に供給し、ステップＳ２４に進む。
【００９０】
ステップＳ２４において、予約制御部６２は、受光部３９から供給される制御信号が表す放送チャンネルを、録画チャンネルに決定する。そして、予約制御部６２は、ステップＳ２１で決定された録画曜日、録画開始時刻、および録画終了時刻、並びにステップＳ２４で決定された録画チャンネルを表す情報、並びに図５のステップＳ１３における判定の結果を表す深夜モード情報からなる予約情報を記憶部６３に供給し、処理を終了する。
【００９１】
この後、ユーザがリモコン１２を操作して、録画予約された番組の放送曜日、放送開始時刻、放送終了時刻、および放送チャンネルの表示を指令すると、予約制御部６２は、受光部３９からの、その指令に対応する制御信号に応じて、記憶部６３から予約情報を読み出す。そして、予約情報の深夜モード情報が、深夜モードであることを表している場合、録画開始時刻が０時から３時５９分までではないとき、予約制御部６２は、表示制御部６４を制御して、録画曜日と録画開始時刻をそのまま放送曜日と放送開始時刻とし、録画終了時刻に２４時を足した時刻を放送終了時刻とし、録画チャンネルを放送チャンネルとしてディスプレイ３５に表示させる。
【００９２】
一方、録画開始時刻が０時から３時５９分までであるとき、予約制御部６２は、表示制御部６４を制御して、録画曜日の前の曜日を放送曜日とし、録画開始時刻に２４時を足した時刻を放送開始時刻とし、録画終了時刻に２４時を足した時刻を放送終了時刻とし、録画チャンネルを放送チャンネルとしてディスプレイ３５に表示させる。
【００９３】
また、予約情報の深夜モード情報が深夜モードではないことを表している場合、予約制御部６２は、表示制御部６４を制御し、録画曜日、録画開始時刻、録画終了時刻、録画チャンネルを、それぞれ、放送曜日、放送開始時刻、放送終了時刻、放送チャンネルとしてディスプレイ３５に表示させる。
【００９４】
即ち、ユーザにより録画予約された番組の放送曜日、放送開始時刻、放送終了時刻、および放送チャンネルの表示が指令された場合、録画曜日、録画開始時刻、録画終了時刻、録画チャンネルが、ユーザにより入力された指定曜日、指定開始時刻、指定終了時刻、および放送チャンネルで表記される。
【００９５】
なお、上述した図５のステップＳ１４とステップＳ１７では、図４の指定開始時刻入力部８２または指定終了時刻入力部８３に、０時から２７時５９分までの時刻を表示させたが、０時から２３時５９分までの時刻を表示させるようにしてもよい。この場合、ユーザは、例えば月曜日の深夜１時から放送される深夜番組、即ち火曜日の早朝１時から放送される深夜番組を、月曜日を指定曜日として入力し、１時を指定開始時刻として入力することにより、録画予約対象として指定する。
【００９６】
また、指定開始時刻入力部８２と指定終了時刻入力部８３に、０時から２７時５９分までの時刻を表示させるモードと、０時から２３時５９分までの時刻を表示させるモードのいずれか一方を、ユーザが選択するようにすることもできる。
【００９７】
次に、図７を参照して、図１のテレビジョンシステム１０が録画予約対象である番組を録画する録画処理について説明する。この録画処理は、例えば、計時部６１が計時する日時が、予約情報が表す録画曜日の録画開始時刻になったとき開始される。
【００９８】
ステップＳ４１において、予約制御部６２は、記憶部６３に記憶されている予約情報が表す録画チャンネルを選局制御部６５に供給し、ステップＳ４２に進む。
【００９９】
ステップＳ４２において、選局制御部６５は、予約制御部６２からの録画チャンネルに基づいて、チューナ３２を制御し、その録画チャンネルで放送されている番組を録画対象として受信し、記録制御部６６に供給する。
【０１００】
ステップＳ４２の処理後は、ステップＳ４３に進み、記録制御部６６は、選局制御部６５から供給される番組（のコンテンツデータ）を記録部４２に記録させ、ステップＳ４４に進む。
【０１０１】
ステップＳ４４において、予約制御部６２は、計時部６１から供給される日時情報と予約情報に基づいて、録画終了時刻になったかどうか、即ちいまの時刻が録画終了時刻であるかどうかを判定し、録画終了時刻ではないと判定された場合、ステップＳ４２に戻り、上述した処理を繰り返す。
【０１０２】
一方、ステップＳ４４において、録画終了時刻であると判定された場合、予約制御部６２は、選局制御部６５に番組の受信を停止させ、処理を終了する。
【０１０３】
以上のように、受信装置１１は、図３の日時管理データが表すテーブルに基づいて、指定曜日、指定開始時刻、および指定終了時刻を、録画曜日、録画開始時刻、および録画終了時刻に変換するので、ユーザは、ある曜日の早朝に放送される深夜番組を、その曜日の前日の深夜に放送される深夜番組として指定することができる。
【０１０４】
一般的に、深夜番組は、実際に放送される日の前日の夜の番組に続けて番組表（テレビ欄）等に表示されるため、ユーザは、深夜番組を容易に録画予約対象として指定することができる。即ち、受信装置１１は、ユーザの感覚に合った録画予約対象を指定する機能を、ユーザに提供することができる。
【０１０５】
なお、上述した説明では、ユーザが指定曜日を入力することにより、録画予約対象を指定するようにしたが、ユーザが日付を入力することにより、録画予約対象を指定するようにしてもよい。
【０１０６】
また、放送開始時刻が午前０時以降である番組だけを、深夜モードで指定することができるようにしてもよい。この場合、指定曜日の入力モードが深夜モードであるとき、予約制御部６２は、表示制御部６４を制御し、指定開始時刻入力部８２または指定終了時刻入力部８３に、２４時から２７時５９分または０時から３時５９分までの時刻を表示させる。
【０１０７】
以上のように、図１のテレビジョンシステム１０では、受光部３９が、ユーザからの、指定曜日、指定開始時刻、および指定終了時刻の入力を受け付け、予約制御部６２が、指定曜日に、深夜を表す「深夜」が含まれている場合、指定曜日の次の曜日の、指定開始時刻から指定終了時刻に毎週放送される深夜番組の受信予約を行うようにしたので、毎週深夜に放送される深夜番組を、容易に受信予約することができる。
【０１０８】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１０９】
また、本明細書において、システムとは、複数の装置により構成される装置全体を表すものである。
【０１１０】
なお、本発明の実施の形態は、上述した実施の形態に限定されるものではなく、本発明の要旨を逸脱しない範囲において種々の変更が可能である。
【図面の簡単な説明】
【０１１１】
【図１】本発明を適用したテレビジョンシステムの一実施の形態の構成例を示すブロック図である。
【図２】図１の受信装置の機能的構成例を示すブロック図である。
【図３】日時管理データが表すテーブルの例を示す図である。
【図４】設定画面の例を示す図である。
【図５】予約処理を説明するフローチャートである。
【図６】予約処理を説明するフローチャートである。
【図７】録画処理を説明するフローチャートである。
【符号の説明】
【０１１２】
１０  テレビジョンシステム，  １１  受信装置，  １２  リモートコントローラ，  ３１  アンテナ，  ３２  チューナ，  ３３  CODEC，  ３４  信号処理部，  ３５  ディスプレイ，  ３６  スピーカ，  ３７  バス，  ３８  制御部，  ３９  受光部，  ４１  記録部，  ４３  リムーバブルメディア，  ６１  計時部，  ６２  予約制御部，  ６３  記憶部，  ６４  表示制御部，  ６５  選局制御部，  ６６  記録制御部
【図１】
2007074478.tif 000003
【図２】
2007074478.tif 000004
【図３】
2007074478.tif 000005
【図４】
2007074478.tif 000006
【図５】
2007074478.tif 000007
【図６】
2007074478.tif 000008
【図７】
2007074478.tif 000009